(57)【特許請求の範囲】
【請求項１】
所要の間隔をあけて立設してなる複数の支柱と、それら支柱間に配設してなる座及び背もたれと、前記支柱の上端に枢着してなる肘掛とを具備してなり、前記支柱が床上に起立する使用位置と、前記支柱、座、背もたれ及び肘掛が床上に平伏する折畳位置との間で回動し得る椅子であって、
前記肘掛が、巾方向に沿って半割された対をなす半割部材と、両半割部材間に配設され両半割部材同士を組み合わせ状態で内側から連結する締着手段とを具備してなり、前記半割部材の内側面若しくは支柱の上端のいずれか一方に一体に設けた軸受部に他方から一体に突出してなる軸部を枢着することにより支柱に回動可能に枢着されているとともに、
前記締着手段を、各半割部材の内側面から突設してなる対をなす第１のテーパー金具と、これら第１のテーパー金具同士を外方から抱く位置に配設される第２のテーパー金具とをテーパー係合させることにより第１のテーパー金具同士を相互に引き寄せて半割部材同士を締結するように構成していることを特徴とする椅子。
【請求項２】
前記締着手段が、各半割部材の内側面から突設してなる対をなす第１のテーパー金具と、これら第１のテーパー金具同士を外方から抱く位置に配設される第２のテーパー金具と、半割部材に配設されたナット部材と、前記第２のテーパー金具を貫通して前記ナット部材に締着されることにより第１のテーパー金具同士を相互に引き寄せて半割部材同士を締結する締結具とを具備してなることを特徴とする請求項１記載の椅子。
【請求項３】
前記肘掛が、組み合わせ状態で半割部材の上方に形成される開口と、前記開口を閉塞する位置に配設され上方にインサートナットを螺着状態で突設してなる中間板と、前記インサートナットを内部に埋め込むように前記中間板の上方から打設される上板とを具備してなることを特徴とする請求項１又は２記載の椅子。
【請求項４】
前後方向に進退動作する移動観覧席の段床上に設けられたものであることを特徴とする請求項１、２又は３記載の椅子。
【発明の詳細な説明】
【０００１】
【発明の属する技術分野】
本発明は、移動観覧席に好適に使用される椅子に関するものである。
【０００２】
【従来の技術】
近時、多目的ホール等に設置するための移動観覧席が種々開発されている。この種の移動観覧席は、例えば、高さの異なる段床の左右両端部を移動可能な走行フレームにより支持しておき、その走行フレームの進退動作によって、各段床を雛段状に展開して各段床上に設置した椅子を使用可能な状態にしたり、各段床を相互に重合する収納位置まで退避させてコンパクトに収納するようにしたものである。
【０００３】
この種の移動観覧席に使用される椅子は、段床上に平伏するように傾倒させることができるようになっており、具体的には、所要の間隔をあけて立設してなる複数の支柱間に座及び背もたれを配設するとともに、各支柱の上端に肘掛を枢着し、収納する際には、前記支柱を段床上に配設した支持部材に対して前方に回動させることによって、支柱、座、背もたれ及び肘掛を段床上に重合状態で平伏させることができるようになっている。
【０００４】
ところで、この種の椅子においては、肘掛は、頂壁と、左右側壁とを一体に形成してなる下方が開口した縦断面略コ字型の形状を有している。そして、該肘掛を支柱に回動可能に枢着するために、肘掛の左右側壁の略中央部に軸挿通孔を穿設し、この軸挿通孔から挿通した回転ピンを支柱に配設した軸受部に回動可能に支持させるようにしている。
【０００５】
【発明が解決しようとする課題】
通常は、回転ピンの頭部に抜け止めを配設した上、該回転ピンの頭部をキャップで被覆するようにしているが、このようにすると、肘掛の側壁とキャップ間に境界線が介在して見栄えが悪い上、常に肘掛の側壁の略中央部にキャップが存在するという同じようなデザインのものになりやすいという不具合がある。
【０００６】
【課題を解決するための手段】
上述した不具合を解消するために、本発明の椅子は、肘掛を半割部材として、この半割部材の内側面に支柱に枢着される軸部或いは軸受部を一体に設けて、成形及び組み立ての容易さと肘掛の外観の向上とを図るものである。
【０００７】
【発明の実施の形態】
すなわち、本発明は、所要の間隔をあけて立設してなる複数の支柱と、それら支柱間に配設してなる座及び背もたれと、前記支柱の上端に枢着してなる肘掛とを具備してなり、前記支柱が床上に起立する使用位置と、前記支柱、座、背もたれ及び肘掛が床上に平伏する折畳位置との間で回動し得る椅子であって、前記肘掛が、巾方向に沿って半割された対をなす半割部材と、両半割部材間に配設され両半割部材同士を組み合わせ状態で内側から連結する締着手段とを具備してなり、前記半割部材の内側面若しくは支柱の上端のいずれか一方に一体に設けた軸受部に他方から一体に突出してなる軸部を枢着することにより支柱に回動可能に枢着されているとともに、前記締着手段を、各半割部材の内側面から突設してなる対をなす第１のテーパー金具と、これら第１のテーパー金具同士を外方から抱く位置に配設される第２のテーパー金具とをテーパー係合させることにより第１のテーパー金具同士を相互に引き寄せて半割部材同士を締結するように構成していることを特徴とする。
【０００８】
このような構成のものであると、肘掛を、各半割部材に一体に設けた軸部或いは軸受部を介して支柱に回動可能に枢着し、しかる後、締着手段で両半割部材を内側から連結すれば、簡単な組立作業で、外部に止着具等を露出させずに、支柱に肘掛を回動可能に枢着することができる。また、前述したように、肘掛が半割部材により構成されているので、側壁の外側面を略面一とした状態で内側面から軸部或いは軸受部を一体に成形することも容易に行え、肘掛の外観を良好なものとし、肘掛の形状を、常に肘掛の側壁の略中央部にキャップが取着されるような仕様に限定せず、デザインの選択の幅が広がるものである。さらに、軸部或いは軸受部を半割部材と一体に成形しているため、回転ピンや抜け止め等も不要となり、部品点数、組立工数を削減して低コスト化を図ることができる。
【０００９】
簡単な構成で強固且つ確実な半割部材の連結を可能とするには、前記締着手段が、各半割部材の内側面から突設してなる対をなす第１のテーパー金具と、これら第１のテーパー金具同士を外方から抱く位置に配設される第２のテーパー金具と、半割部材に配設されたナット部材と、前記第２のテーパー金具を貫通して前記ナット部材に締着されることにより第１のテーパー金具同士を相互に引き寄せて半割部材同士を締結する締結具とを具備してなることが望ましい。
【００１０】
上方からの締結作業が可能となる上、ネジ等の止着具を外部に露出させずに肘掛の外観を良好なものとするには、前記肘掛が、組み合わせ状態で半割部材の上方に形成される開口と、前記開口を閉塞する位置に配設され上方にインサートナットを螺着状態で突設してなる中間板と、前記インサートナットを内部に埋め込むように前記中間板の上方から打設される上板とを具備してなることが望ましい。
【００１１】
具体的な実施の形態としては、前後方向に進退動作する移動観覧席の段床上に設けられたものであるものを挙げることができる。
【００１２】
【実施例】
以下、本発明の一実施例について図面を参照して説明する。
なお、本実施例では、本発明の椅子Ａを段床式の移動観覧席Ｂに適用した場合について説明する。
この移動観覧席Ｂは、複数の段床１を具備し、それら段床１を、雛段状に展開される展開位置（図１参照）と相互に重合する収納位置（図２参照）との間で伸縮動作し得るように構成したもので、各段床１を支持する走行フレームの構成や、これら走行フレームを進退させる駆動機構等は従来のものと同様であるため、説明を省略する。
【００１３】
段床１は、図３に示すように、前半部分に床板１１を有し、後半部分にユニットフレーム１２を備えており、このユニットフレーム１２上に、本発明に係る椅子Ａを配設している。
椅子Ａは、前記ユニットフレーム１２上に配設した支持部材１３上に所要の間隔をあけて立設してなる複数の支柱２と、それら支柱２間に配設してなる座３及び背もたれ４と、前記支柱２の上端に枢着してなる肘掛５とを具備してなり、前記支柱２を支持部材１３を介して回動可能に支持され、ユニットフレーム１２上に起立する使用位置Ｐと、前記支柱２、座３、背もたれ４及び肘掛５が床板１１上に平伏する折畳位置Ｑとを取り得るものである。なお、図示していないが、座３は、支柱２に回動可能に枢着され、背もたれ４は、支持部材１３に回動可能に枢着されている。
【００１４】
支柱２は、図４に示すように、アルミダイキャスト製のもので、薄板状の鉛直壁部２１の前縁と後縁に肉厚状の前後壁部２２、２３をそれぞれ一体に形成してなる平断面略Ｈ型をなすものである。前記前後壁部２２、２３は、左右両側面に上下端に亘ってカバー取付溝２２ａ、２３ａを有し、このカバー取付溝２２ａ、２３ａに前後カバー８、９を取着して支柱２の前後壁部２２、２３を被覆するようにしている。なお、複数の支柱２のうち、椅子Ａの巾方向両端部に配設される支柱２の外側面は、側面カバー（図示せず）で被覆して支柱２の外側面を外部から隠蔽するようにしている。
【００１５】
前カバー８は、アルミ製の押出し成形体で、表面に化粧加工を施した薄板状のもので、前記カバー取付溝２２ａに挿入し得る突部８１を若干肉厚となった左右縁部８ａより内方に突出し、この突部８１を前記カバー取付溝２２ａ内に上方から挿入し、下方にスライドさせて該前カバー８を支柱２に取着するようにしている。
【００１６】
後カバー９は、アルミ製の押出し成形体で、奥行方向に厚みを有する略直方体状のものであり、表面に化粧加工を施されている。そして、前記カバー取付溝２３ａに挿入し得る突部９１を左右前縁部９ａより内方に突出し、この突部９１を前記カバー取着溝２３ａに上方から挿入した後、下方にスライドさせて支柱２に取着されている。そして、この後カバー９は、その後面９ｂに、３本の凹溝６１と、４枚の板状の歯部６２とから構成される横断面フィン状（又は櫛歯状）をなす支柱側係合部６を有している。
【００１７】
このような構成のものにおいて、本実施例では、図４〜図７に示すように、前記肘掛５が、巾方向に沿って半割され組み合わせ状態で上方、下方及び後方に開口を生じるアルミダイキャスト製の対をなす半割部材５１と、前記半割部材５１の内側面から一体に突出してなり支柱２の上端２ａに設けた軸受部２４に回動可能に枢着される軸部５１４と、両半割部材５１間に配設され、半割部材５１同士を組み合わせ状態で内側から連結する締着手段５２と、前記半割部材５１の上方に形成された開口ｓを閉塞するアルミ製の中間板５３と、この中間板５３の上面に載設される木製の上板５４とを具備してなる。
【００１８】
半割部材５１は、略三角形状の側壁５１１と、前記側壁５１１の前縁に沿って内方に突出してなり組み合わせ状態で肘掛５の前方を閉塞する前壁５１２と、前記側壁５１１の上縁に沿って内方に突設してなり上面に前記中間板５３と嵌合し得る段部５１３ａを有する上壁５１３と、側壁５１１の内側面から突出してなり支柱２の鉛直壁部２１の両面から一体に突設してなる円筒状の軸受部２４に枢着される軸部５１４とを具備してなる。一方の半割部材５１の前壁５１２には突条５１５が、他方の半割部材５１の前壁５１２には前記突条５１５と嵌合し得る凹溝５１６が設けてなり、両半割部材５１同士を組み合わせた際に、これら突条５１５と凹溝５１６が嵌合し合うように構成されている。なお、図５中符号４１で示すものは、側面視した際に、支柱２と背もたれ４間に生じる隙間を目隠しするために背もたれ４の左右両端に配設してなる目隠板であり、符号５１７で示すものは、前記目隠板４１を肘掛５に回動可能に枢着するための軸５１８を挿通するための軸挿通孔である。なお、図４では、この目隠板４１は省略している。
【００１９】
締着手段５２は、各半割部材５１の側壁５１１の内側面から突設してなる対をなす第１のテーパー金具５２１と、これら第１のテーパー金具５２１同士を抱く位置に配設される第２のテーパー金具５２２と、半割部材５１に配設されたナット部材たる板ナット５２４と、前記第２のテーパー金具５２２を貫通して前記板ナット５２４に締着されることにより第１のテーパー金具５２１同士を相互に引き寄せて半割部材５１同士を締結する締結具たるネジ５２３とを具備してなる。
【００２０】
第１のテーパー金具５２１は、前記半割部材５１の側壁５１１の内側面にネジ等で止着してなる止着片５２１ａと、この止着片５２１ａの一端から内方に傾斜させて延出してなるテーパー片５２１ｂとを具備してなるものである。
第２のテーパー金具５２２は、前記第１のテーパー金具５２１のテーパー片５２１ｂを抱くようにして外嵌し得る対をなすテーパー片５２２ａと、これらテーパー片５２２ａを連結する連結片５２２ｂと、前記連結片５２２ｂに穿設したネジ挿通孔５２２ｃとを具備してなるものである。
【００２１】
板ナット５２４は、中央部に前記ネジ５２３と螺合し得る螺合部５２４ａを有してなり、各半割部材５１の側壁５１１の内側面より前壁５１２の下半部と略平行な状態で内方に突設した板ナット嵌合部５１９に嵌合し得るものである。前記板ナット嵌合部５１９は突出面に前記板ナット５２４と嵌合可能な凹溝５１９ａを有している。
【００２２】
中間板５３は、半割部材５１の上壁５１３に形成される段部５１３ａに嵌合し得る薄板状の板部５３１と、前記板部５３１の後端下面より垂下してなる肘掛側係合部７とを具備してなる。肘掛側係合部７は、図示していないが、前方、下方及び後方が開口してなる２本の凹溝と、３枚の板状の歯部とを有する縦断面フィン状（又は櫛歯状）のものであり、折畳位置Ｑで前記支柱側係合部６と係合し重合し合いコンパクトな折畳状態を実現し得るものである。なお、この中間板５３は、板部５３１の中央３箇所に軸挿通孔５３２を穿設するとともに、この軸挿通孔５３２と軸心を一致させたインサートナット５３３を、下方から軸挿通孔５３２に挿入したネジ５３４を介して螺着状態で突設している。
【００２３】
次に、肘掛５を支柱２に枢着する際の方法について説明する。まず、一方の半割部材５１の軸部５１４を支柱２の軸受部２４に挿入し、板ナット嵌合部５１９に板ナット５２４を嵌合させる。しかる後、他方の半割部材５１の軸部５１４を支柱２の軸受部２４に挿入するとともに、各半割部材５１の前壁５１２の突条５１５と凹溝５１６を嵌合させ半割部材５１同士を組み合わせる。この時、同時に他方の半割部材５１の板ナット嵌合部５１９に板ナット５２４を嵌合させておく。そして、半割部材５１の上方に形成される開口ｓから両半割部材５１の側壁５１１間に手を挿入して、第２のテーパー金具５２２を第１のテーパー金具５２１のテーパー片５２１ｂを後方から抱くように外嵌させた後、第２のテーパー金具５２２のネジ挿通孔５２２ｃから挿入したネジ５２３を板ナット５２４に締着することにより第１のテーパー金具５２１同士を相互に引き寄せて半割部材５１同士を締結する。このようにして、半割部材５１は連結され、図８に示すように、支柱２に軸部５１４を介して回動可能に枢着される。
【００２４】
次に、前記中間板５３を半割部材５１に固設するが、この際には、図４及び図８に示すように、前記インサートナット５３３に軸挿通孔５３２を介して下方から挿入したネジ５３４を螺装した状態で、前記中間板５３を段部５１３ａ上に載置して上方から中間板５３の左右縁部各３箇所を前記段部５１３ａにネジ５３５を介して止着する。そして、この中間板５３上に上板５４を位置合わせした後、前記インサートナット５３３が上板５４の下面に設けた凹部に埋め込まれるように上方から打設して上板５４を中間板５３上に固設する。
【００２５】
このように、支柱２の上端に配設された軸受部２４に各半割部材５１から一体に突出した軸部５１４を枢着させ、しかる後、締着手段５２で両半割部材５１を連結すれば、簡単な組立作業で、外部に止着具等を露出させることなく、支柱２に肘掛５を回動可能に枢着することができる。しかも、肘掛５の側壁５１１に軸挿通孔を穿設していないため、肘掛５の外観を良好なものとし、常に肘掛５の側壁５１１の略中央部にキャップが取着されるような仕様に限定されず肘掛５のデザイン上の選択の幅が広がるものである。しかも、このものは、肘掛５が半割部材５１であるので、側壁５１１の内側面から軸部５１４を一体に成型することも容易に行えるものである。さらに、軸部５１４を半割部材５１と一体に成形しているため、回転ピンや抜け止め等も不要となり、部品点数、組立工数を削減して低コスト化を図ることができる。
【００２６】
前記締着手段５２が、各半割部材５１の内側面から突設してなる対をなす第１のテーパー金具５２１と、これら第１のテーパー金具５２１同士を外方から抱く位置に配設される第２のテーパー金具５２２と、半割部材５１に配設された板ナット５２４と、前記第２のテーパー金具５２２を貫通して前記板ナット５２４に締着されることにより第１のテーパー金具５２１同士を相互に引き寄せて半割部材同士を締結するネジ５２３とを具備してなるので、簡単な構成で、半割部材５１同士の強固且つ確実な連結が可能となる。
【００２７】
前記肘掛５が、組み合わせ状態で半割部材５１の上方に形成される開口ｓと、この開口を閉塞する位置に配設され上方にインサートナット５３３を螺着状態で突設してなる中間板５３と、前記インサートナット５３３を内部に埋め込むように前記中間板５３の上方から打設される上板５４とを具備してなるので、上方からの締結作業が可能となる上、中間板５３と上板５４を連結するネジ５３４が外部に露出せず肘掛５の外観を良好なものとすることができる。
【００２８】
なお、各部の具体的な構成は、上述した実施例に限定されるものではない。例えば、支柱２から軸部を突設し、半割部材５１の内側面から軸受を突設するようにしてもよいのは勿論である。その他の構成も、本発明の趣旨を逸脱しない範囲で種々変形が可能である。
【００２９】
【発明の効果】
本発明は、以上説明したような形態で実施され以下に記載されるような効果を奏する。
すなわち、本発明の肘掛は、巾方向に沿って半割りにされた対をなす半割部材により構成され、各半割部材に一体に設けた軸部或いは軸受部を介して支柱の上端に枢着され、締着手段で両半割部材を内側から連結することにより、成形及び組み立ての容易さと肘掛の外観の向上とを図るものである。このように、肘掛を半割部材としているので、内側面に一体に軸部或いは軸受部を設けるという成形も容易である上、肘掛の側壁に軸挿通孔を穿設する必要がないため、外観を良好なものとし、常に肘掛の略中央部にキャップが取着されるような仕様に限定されない様々な仕様を取ることができる。また、両半割部材を内側から連結しているので、外部に止着具等が露出せず、肘掛の外観を良好なものとすることができる。さらに、軸部或いは軸受部を半割部材と一体に成形しているため、回転ピンや抜け止め等も不要となり、部品点数、組立工数を削減して低コスト化を図ることができる。
【００３０】
前記締着手段が、各半割部材の内側面から突設してなる対をなす第１のテーパー金具と、これら第１のテーパー金具同士を外方から抱く位置に配設される第２のテーパー金具と、半割部材に配設されたナット部材と、前記第２のテーパー金具を貫通して前記ナット部材に締着されることにより第１のテーパー金具同士を相互に引き寄せて半割部材同士を締結する締結具とを具備してなるならば、簡単な構成で、半割部材同士の強固且つ確実な連結が可能となる。
【００３１】
前記肘掛が、組み合わせ状態で半割部材の上方に形成される開口と、前記開口を閉塞する位置に配設され上方にインサートナットを螺着状態で突設してなる中間板と、前記インサートナットを内部に埋め込むように前記中間板の上方から打設される上板とを具備してなるならば、上方からの締結作業が可能となる上、中間板と上板とを連結するネジ等の止着具が外部に露出せず肘掛の外観を良好なものとすることができる。
【図面の簡単な説明】
【図１】本発明の一実施例を示す概略的な全体側面図。
【図２】同全体側面図。
【図３】同椅子を示す側面図。
【図４】同分解斜視図。
【図５】同側面図。
【図６】図５に対応する一部構造を省略したＩ−Ｉ線断面図。
【図７】同５に対応するＩＩ−ＩＩ線断面図。
【図８】図７に対応する肘掛の組立方法を説明するための断面図。
【符号の説明】
２…支柱
２４…軸受部
３…座
４…背もたれ
５…肘掛
５１…半割部材
５１４…軸部
５２…締着手段
５２１…第１のテーパー金具
５２２…第２のテーパー金具
５２３…締結具（ネジ）
５２４…ナット部材（板ナット）
５３…中間板
５３３…インサートナット
５４…上板
ｓ…開口
Ａ…椅子
Ｂ…移動観覧席
Ｐ…使用位置
Ｑ…折畳位置
【図１】
0003610806.tif 000002
【図２】
0003610806.tif 000003
【図３】
0003610806.tif 000004
【図４】
0003610806.tif 000005
【図５】
0003610806.tif 000006
【図６】
0003610806.tif 000007
【図７】
0003610806.tif 000008
【図８】
0003610806.tif 000009